(57)【要約】【課題】メールアドレス等の直接的なメッセージの宛先を知らなくても、個人間のゆるやかで安全なメッセージ交換を実現する。【解決手段】物品の渡し人の第１のサーバアクセス用コードを保持する第１の記録媒体と、物品の渡し人から物品の受け取り人への物品の受け渡し時に物品に付随し、物品の受け取り人の第２のサーバアクセス用コードを保持する第２の記録媒体とを、分離可能に備える。【選択図】図１
2008186277.tif 000002
【特許請求の範囲】
【請求項１】
物品の渡し人の第１のサーバアクセス用コードを保持する第１の記録媒体と、
物品の渡し人から物品の受け取り人への物品の受け渡し時に物品に付随し、物品の受け取り人の第２のサーバアクセス用コードを保持する第２の記録媒体とを、
分離可能に備えたことを特徴とするメッセージ交換用コード記録媒体。
【請求項２】
請求項１に記載のメッセージ交換用コード記録媒体において、
上記第１および第２のサーバアクセス用コードは、印刷による１次元もしくは２次元のコードにより形成されることを特徴とするメッセージ交換用コード記録媒体。
【請求項３】
請求項１に記載のメッセージ交換用コード記録媒体において、
上記第１および第２のサーバアクセス用コードは、不可視の印刷により形成されることを特徴とするメッセージ交換用コード記録媒体。
【請求項４】
請求項１に記載のメッセージ交換用コード記録媒体において、
上記第１および第２のサーバアクセス用コードは、非接触にて読み取りが可能な無線タグにより形成されることを特徴とするメッセージ交換用コード記録媒体。
【請求項５】
請求項１に記載のメッセージ交換用コード記録媒体において、
上記第１のサーバアクセス用コードと上記第２のサーバアクセス用コードは、異なる形式で形成されることを特徴とするメッセージ交換用コード記録媒体。
【請求項６】
請求項１に記載のメッセージ交換用コード記録媒体において、
上記第１および第２のサーバアクセス用コードは、コードの内容を示す目視可能な文字列の併記を伴うことを特徴とするメッセージ交換用コード記録媒体。
【請求項７】
請求項１に記載のメッセージ交換用コード記録媒体において、
上記第１および第２のサーバアクセス用コードは、脆弱部により切り離し可能な台紙上に形成されることを特徴とするメッセージ交換用コード記録媒体。
【請求項８】
請求項１に記載のメッセージ交換用コード記録媒体において、
上記第１および第２のサーバアクセス用コードのいずれか一方は、台紙から剥離可能なシール上に形成されることを特徴とするメッセージ交換用コード記録媒体。
【請求項９】
請求項１に記載のメッセージ交換用コード記録媒体において、
上記第１および第２のサーバアクセス用コードは、複数の渡し人と受け取り人の対に応じて複数設けられることを特徴とするメッセージ交換用コード記録媒体。
【請求項１０】
請求項１に記載のメッセージ交換用コード記録媒体において、
上記第１および第２のサーバアクセス用コードは、物品の一部として形成されることを特徴とするメッセージ交換用コード記録媒体。
【請求項１１】
物品の渡し人の第１のサーバアクセス用コードを保持する第１の記録媒体と、
物品の渡し人から物品の受け取り人への物品の受け渡し時に物品に付随し、物品の受け取り人の第２のサーバアクセス用コードを保持する第２の記録媒体とを、
分離可能に備えたメッセージ交換用コード記録媒体を有する物品を払い出すことを特徴とする物品払い出し装置。
【請求項１２】
１回の利用時に少なくとも２つ以上の物品を払い出す物品払い出し装置であって、
第１のサーバアクセス用コードを保持する第１の記録媒体を備えた第１の物品と、
上記第１のサーバアクセス用コードに対応する第２のサーバアクセス用コードを保持する第２の記憶媒体を備えた第２の物品とを、
払い出すことを特徴とする物品払い出し装置。
【請求項１３】
物品を払い出す手段と、
物品に付随する第２の記録媒体に含まれる物品の受け取り人の第２のサーバアクセス用コードの内容を取得する手段と、
装置利用者の第１のサーバアクセス用コードを、上記物品の受け取り人の第２のサーバアクセス用コードと対応付けて生成し、第１の記録媒体に出力する手段と、
を備えたことを特徴とする物品払い出し装置。
【請求項１４】
物品の渡し人と物品の受け取り人との間でメッセージを交換するためのサーバであって、
物品の渡し人から、当該渡し人の管理下にある第１の記録媒体に含まれる渡し人の第１のサーバアクセス用コードを介してアクセスを受け付け、メッセージの書き込みもしくは読み出しを行う手段と、
物品の受け取り人から、当該受け取り人の管理下にある第２の記録媒体の受け取り人の第２のサーバアクセス用コードを介してアクセスを受け付け、メッセージの書き込みもしくは読み出しを行う手段とを、
備えたことを特徴とするメッセージ交換用サーバ。
【請求項１５】
請求項１４に記載のメッセージ交換用サーバにおいて、
上記メッセージの書き込みもしくは読み出しを行う手段は、渡し人と対応する受け取り人に共通のメッセージボードに対してメッセージの書き込みもしくは読み出しを行うことを特徴とするメッセージ交換用サーバ。
【請求項１６】
請求項１４に記載のメッセージ交換用サーバにおいて、
上記メッセージの書き込みもしくは読み出しを行う手段は、メールの送受信によりメッセージの書き込みもしくは読み出しを行うことを特徴とするメッセージ交換用サーバ。
【請求項１７】
請求項１４に記載のメッセージ交換用サーバにおいて、
上記メッセージとして定型のメッセージを設定する手段を備えたことを特徴とするメッセージ交換用サーバ。
【請求項１８】
請求項１４に記載のメッセージ交換用サーバにおいて、
上記第１および第２の記録媒体のデザインに対応し、メッセージ閲覧時のデザインを統一して表示する手段を備えたことを特徴とするメッセージ交換用サーバ。
【請求項１９】
請求項１４に記載のメッセージ交換用サーバにおいて、
上記渡し人の管理下にある複数の第１の記録媒体に含まれる複数の第１のサーバアクセス用コードを統合管理する手段を備えたことを特徴とするメッセージ交換用サーバ。
【請求項２０】
物品の渡し人と物品の受け取り人との間でメッセージを交換するためのサーバの制御プログラムであって、
コンピュータを、
物品の渡し人から、当該渡し人の管理下にある第１の記録媒体に含まれる渡し人の第１のサーバアクセス用コードを介してアクセスを受け付け、メッセージの書き込みもしくは読み出しを行う手段、
物品の受け取り人から、当該受け取り人の管理下にある第２の記録媒体の受け取り人の第２のサーバアクセス用コードを介してアクセスを受け付け、メッセージの書き込みもしくは読み出しを行う手段、
として機能させることを特徴とするメッセージ交換用サーバプログラム。
【請求項２１】
物品の渡し人と物品の受け取り人との間でメッセージを交換するための方法であって、
物品の渡し人から、当該渡し人の管理下にある第１の記録媒体に含まれる渡し人の第１のサーバアクセス用コードを介してアクセスを受け付け、メッセージの書き込みもしくは読み出しを行う工程と、
物品の受け取り人から、当該受け取り人の管理下にある第２の記録媒体の受け取り人の第２のサーバアクセス用コードを介してアクセスを受け付け、メッセージの書き込みもしくは読み出しを行う工程とを、
備えたことを特徴とするメッセージ交換方法。
【発明の詳細な説明】
【技術分野】
【０００１】
本発明は、個人間のメッセージ交換を行うためのメッセージ交換用コード記録媒体、物品払い出し装置、メッセージ交換用サーバ、メッセージ交換用サーバプログラムおよびメッセージ交換方法に関する。
【背景技術】
【０００２】
個人間のメッセージ交換手段として携帯電話やＰＣ（Personal Computer）等を用いた電子メールが広く用いられている。
【０００３】
一方、特許文献１には、商品に付したＲＦＩＤ（Radio Frequency Identification）タグを移動機により読み取り、読み取った商品ＩＤをトレーサビリティシステムに送信することで、その商品に関する情報を取得するとともに、その商品についての感想等の消費者メッセージをトレーサビリティシステムに送信することができるようにした技術が開示されている。
【０００４】
また、特許文献２には、購入者が身に付けた物品に設けられたＩＤタグから携帯端末によりタグ情報を読み取り、ＩＤデータベースおよびメーカーデータベースに要求を行うことで、その物品に関する商品情報を取得することができるようにした技術が開示されている。
【０００５】
また、特許文献３には、名刺等の印刷物にＵＲＬ（Uniform Resource Locator）の入ったＱＲコード（２次元コード）を印刷しておき、名刺等を受け取った相手がＱＲコードからサーバにアクセスすることで、配布者が登録（名刺等とは別の説明書に印刷された管理用ＱＲコードからサーバにアクセスして登録）した情報を閲覧することができるようにした技術が開示されている。
【特許文献１】特開２００６−１２０８６号公報
【特許文献２】特開２００３−１５７４７７号公報
【特許文献３】特開２００６−８５６５８号公報
【発明の開示】
【発明が解決しようとする課題】
【０００６】
上述したように、個人間のメッセージ交換手段として電子メールが広く用いられているが、電子メールを送信するには相手のメールアドレスを知らなければならず、メールアドレスを知らない相手にはメッセージを送ることができないという問題があった。
【０００７】
一方、特許文献１は、商品を提供するメーカーと消費者の間でのメッセージ交換といえるものであるが、個人間のメッセージ交換手段として利用できるものではない。
【０００８】
また、特許文献２は、ＩＤタグを介して、メーカーから潜在的消費者への一方的な情報の伝達が行えるのみであり、個人間のメッセージ交換手段として利用できるものではない。
【０００９】
また、特許文献３は、名刺等の印刷物を介して、配布者から被配布者への一方的な情報の伝達が行えるのみであり、双方によるメッセージ交換手段として利用できるものではない。
【００１０】
本発明は上記の従来の問題点に鑑み提案されたものであり、その目的とするところは、メールアドレス等の直接的なメッセージの宛先を知らなくても、個人間のゆるやかで安全なメッセージ交換を実現することのできるメッセージ交換用コード記録媒体、物品払い出し装置、メッセージ交換用サーバ、メッセージ交換用サーバプログラムおよびメッセージ交換方法を提供することにある。
【課題を解決するための手段】
【００１１】
上記の課題を解決するため、本発明にあっては、請求項１に記載されるように、物品の渡し人の第１のサーバアクセス用コードを保持する第１の記録媒体と、物品の渡し人から物品の受け取り人への物品の受け渡し時に物品に付随し、物品の受け取り人の第２のサーバアクセス用コードを保持する第２の記録媒体とを、分離可能に備えるメッセージ交換用コード記録媒体を要旨としている。
【００１２】
また、請求項２に記載されるように、請求項１に記載のメッセージ交換用コード記録媒体において、上記第１および第２のサーバアクセス用コードは、印刷による１次元もしくは２次元のコードにより形成されるものとすることができる。
【００１３】
また、請求項３に記載されるように、請求項１に記載のメッセージ交換用コード記録媒体において、上記第１および第２のサーバアクセス用コードは、不可視の印刷により形成されるものとすることができる。
【００１４】
また、請求項４に記載されるように、請求項１に記載のメッセージ交換用コード記録媒体において、上記第１および第２のサーバアクセス用コードは、非接触にて読み取りが可能な無線タグにより形成されるものとすることができる。
【００１５】
また、請求項５に記載されるように、請求項１に記載のメッセージ交換用コード記録媒体において、上記第１のサーバアクセス用コードと上記第２のサーバアクセス用コードは、異なる形式で形成されるものとすることができる。
【００１６】
また、請求項６に記載されるように、請求項１に記載のメッセージ交換用コード記録媒体において、上記第１および第２のサーバアクセス用コードは、コードの内容を示す目視可能な文字列の併記を伴うものとすることができる。
【００１７】
また、請求項７に記載されるように、請求項１に記載のメッセージ交換用コード記録媒体において、上記第１および第２のサーバアクセス用コードは、脆弱部により切り離し可能な台紙上に形成されるものとすることができる。
【００１８】
また、請求項８に記載されるように、請求項１に記載のメッセージ交換用コード記録媒体において、上記第１および第２のサーバアクセス用コードのいずれか一方は、台紙から剥離可能なシール上に形成されるものとすることができる。
【００１９】
また、請求項９に記載されるように、請求項１に記載のメッセージ交換用コード記録媒体において、上記第１および第２のサーバアクセス用コードは、複数の渡し人と受け取り人の対に応じて複数設けられるものとすることができる。
【００２０】
また、請求項１０に記載されるように、請求項１に記載のメッセージ交換用コード記録媒体において、上記第１および第２のサーバアクセス用コードは、物品の一部として形成されるものとすることができる。
【００２１】
また、請求項１１に記載されるように、物品の渡し人の第１のサーバアクセス用コードを保持する第１の記録媒体と、物品の渡し人から物品の受け取り人への物品の受け渡し時に物品に付随し、物品の受け取り人の第２のサーバアクセス用コードを保持する第２の記録媒体とを、分離可能に備えたメッセージ交換用コード記録媒体を有する物品を払い出す物品払い出し装置として構成することができる。
【００２２】
また、請求項１２に記載されるように、１回の利用時に少なくとも２つ以上の物品を払い出す物品払い出し装置であって、第１のサーバアクセス用コードを保持する第１の記録媒体を備えた第１の物品と、上記第１のサーバアクセス用コードに対応する第２のサーバアクセス用コードを保持する第２の記憶媒体を備えた第２の物品とを、払い出す物品払い出し装置として構成することができる。
【００２３】
また、請求項１３に記載されるように、物品を払い出す手段と、物品に付随する第２の記録媒体に含まれる物品の受け取り人の第２のサーバアクセス用コードの内容を取得する手段と、装置利用者の第１のサーバアクセス用コードを、上記物品の受け取り人の第２のサーバアクセス用コードと対応付けて生成し、第１の記録媒体に出力する手段と、を備える物品払い出し装置として構成することができる。
【００２４】
また、請求項１４に記載されるように、物品の渡し人と物品の受け取り人との間でメッセージを交換するためのサーバであって、物品の渡し人から、当該渡し人の管理下にある第１の記録媒体に含まれる渡し人の第１のサーバアクセス用コードを介してアクセスを受け付け、メッセージの書き込みもしくは読み出しを行う手段と、物品の受け取り人から、当該受け取り人の管理下にある第２の記録媒体の受け取り人の第２のサーバアクセス用コードを介してアクセスを受け付け、メッセージの書き込みもしくは読み出しを行う手段とを、備えるメッセージ交換用サーバとして構成することができる。
【００２５】
また、請求項１５に記載されるように、請求項１４に記載のメッセージ交換用サーバにおいて、上記メッセージの書き込みもしくは読み出しを行う手段は、渡し人と対応する受け取り人に共通のメッセージボードに対してメッセージの書き込みもしくは読み出しを行うようにすることができる。
【００２６】
また、請求項１６に記載されるように、請求項１４に記載のメッセージ交換用サーバにおいて、上記メッセージの書き込みもしくは読み出しを行う手段は、メールの送受信によりメッセージの書き込みもしくは読み出しを行うようにすることができる。
【００２７】
また、請求項１７に記載されるように、請求項１４に記載のメッセージ交換用サーバにおいて、上記メッセージとして定型のメッセージを設定する手段を備えるようにすることができる。
【００２８】
また、請求項１８に記載されるように、請求項１４に記載のメッセージ交換用サーバにおいて、上記第１および第２の記録媒体のデザインに対応し、メッセージ閲覧時のデザインを統一して表示する手段を備えるようにすることができる。
【００２９】
また、請求項１９に記載されるように、請求項１４に記載のメッセージ交換用サーバにおいて、上記渡し人の管理下にある複数の第１の記録媒体に含まれる複数の第１のサーバアクセス用コードを統合管理する手段を備えるようにすることができる。
【００３０】
また、請求項２０に記載されるように、物品の渡し人と物品の受け取り人との間でメッセージを交換するためのサーバの制御プログラムであって、コンピュータを、物品の渡し人から、当該渡し人の管理下にある第１の記録媒体に含まれる渡し人の第１のサーバアクセス用コードを介してアクセスを受け付け、メッセージの書き込みもしくは読み出しを行う手段、物品の受け取り人から、当該受け取り人の管理下にある第２の記録媒体の受け取り人の第２のサーバアクセス用コードを介してアクセスを受け付け、メッセージの書き込みもしくは読み出しを行う手段、として機能させるメッセージ交換用サーバプログラムとして構成することができる。
【００３１】
また、請求項２１に記載されるように、物品の渡し人と物品の受け取り人との間でメッセージを交換するための方法であって、物品の渡し人から、当該渡し人の管理下にある第１の記録媒体に含まれる渡し人の第１のサーバアクセス用コードを介してアクセスを受け付け、メッセージの書き込みもしくは読み出しを行う工程と、物品の受け取り人から、当該受け取り人の管理下にある第２の記録媒体の受け取り人の第２のサーバアクセス用コードを介してアクセスを受け付け、メッセージの書き込みもしくは読み出しを行う工程とを、備えるメッセージ交換方法として構成することができる。
【発明の効果】
【００３２】
本発明のメッセージ交換用コード記録媒体、物品払い出し装置、メッセージ交換用サーバ、メッセージ交換用サーバプログラムおよびメッセージ交換方法にあっては、メールアドレス等の直接的なメッセージの宛先を知らなくても、個人間のゆるやかで安全なメッセージ交換を実現することができる。
【発明を実施するための最良の形態】
【００３３】
以下、本発明の好適な実施形態につき説明する。
【００３４】
＜第１の実施形態＞
図１は本発明の第１の実施形態にかかるシステムの構成例を示す図である。
【００３５】
図１において、メッセージボードによるメッセージ交換の機能を提供するメッセージボードサーバ１はインターネット等のネットワーク２に接続され、贈り側のユーザＡが所持する携帯電話３Ａおよび受け取り側のユーザＢが所持する携帯電話３Ｂからのネットワーク２を介したアクセスが可能になっている。
【００３６】
また、贈り側のユーザＡは、購入等により取得したメッセージ交換用カード（ユビキタスカード、ユビキメ（ユビキタスメッセージの略）カード）４の贈り側サーバアクセス用コード５Ａを携帯電話３Ａにより読み取る等によりメッセージボードサーバ１にアクセスするようになっている。受け取り側のユーザＢは、贈り側のユーザＡがメッセージ交換用カード４から分離して贈答品等の物品６に貼り付け等した受け取り側サーバアクセス用コード５Ｂを携帯電話３Ｂにより読み取る等によりメッセージボードサーバ１にアクセスするようになっている。
【００３７】
贈り側サーバアクセス用コード５Ａと受け取り側サーバアクセス用コード５Ｂに含まれるユニークコード（ユニークコードは数字、文字等に限定されない符号列であり、後述するユニークナンバはその一例として数字列を用いたものである。）は、他のメッセージ交換用カード等と重複することがないように設定されており、１対１の秘密のメッセージ交換が行えるようになっている。また、贈り側サーバアクセス用コード５Ａでアクセスできるメッセージボードと、受け取り側サーバアクセス用コード５Ｂでアクセスできるメッセージボードは同一（共通）であるが、それぞれのサーバアクセス用コードを異ならせることにより、贈り側からのアクセスなのか、受け取り側からのアクセスなのか自動識別が可能である。この点、同一のサーバアクセス用コードにしてアクセス時にユーザに選択させる方法もあるが、ユーザの手を煩わせる。
【００３８】
贈り側サーバアクセス用コード５Ａと受け取り側サーバアクセス用コード５Ｂの対応は、メッセージボードサーバ１に対応テーブルを用意してもよいし、簡単な対応ルールを決めても構わない。例えば、
贈り側サーバアクセス用コード５Ａ：サーバＵＲＬ＋ユニークナンバ＋Ａ
例：ubiquime.com?12345A
受け取り側サーバアクセス用コード５Ｂ：サーバＵＲＬ＋ユニークナンバ＋Ｂ
例：ubiquime.com?12345B
とする。この場合、メッセージボードサーバ１（http://ubiquime.com/）のサーバアプリまたはＣＧＩ（Common Gateway Interface）は、サーバＵＲＬの付加データであるユニークナンバとＡ／Ｂを読み取り、対応するメッセージボードを対応するモード（贈り側モード／受け取り側モード）で動的に生成し、アクセス元の携帯電話に送信する。ユニークナンバの偽造により正当なユニークコードを持っていないにもかかわらずメッセージボードサーバ１にアクセスするのを防ぐため、ハッシュ等のチェック用のコードを更に付加してもよい。
【００３９】
図２はメッセージ交換用カード４の構成例を示す図である。
【００４０】
（ａ）は贈り側サーバアクセス用コード５Ａおよび受け取り側サーバアクセス用コード５Ｂに印刷によるＱＲコードを用い、受け取り側サーバアクセス用コード５Ｂの部分をシール状にして台紙から剥がして物品に貼り付けることができるようにしたものであり、現在普及しているカメラ付きの携帯電話でそのまま読み取ることができる。なお、ＱＲコードに限らず、他の２次元コード（ＰＤＦ４１７、ＤａｔａＭａｔｒｉｘ、Ｍａｘｉ  Ｃｏｄｅ等）やＧｒｉｄ  Ｏｎｐｕｔ（グリッドスキャナー専用に開発されたドットパターン）や円形バーコード等を用いることもできる。
【００４１】
（ｂ）は贈り側サーバアクセス用コード５Ａおよび受け取り側サーバアクセス用コード５Ｂに印刷による１次元バーコードを用い、受け取り側サーバアクセス用コード５Ｂの部分をシール状にして台紙から剥がして物品に貼り付けることができるようにしたものであり、含ませられる情報量は減るが、安価なバーコードリーダで読み取ることができるとともに、現在普及しているカメラ付きの携帯電話でもそのまま読み取ることができる。
【００４２】
（ｃ）は贈り側サーバアクセス用コード５Ａおよび受け取り側サーバアクセス用コード５Ｂを赤外光／紫外光等に反応する不可視インクにより形成し、受け取り側サーバアクセス用コード５Ｂを含んだ部分をシール状にして台紙から剥がして物品に貼り付けることができるようにしたものであり、携帯電話側で読み取り機能を備えていることが必要であるが、デザインの自由度が上がり美観を高めることができる。
【００４３】
また、（ａ）〜（ｃ）は印刷によるものであるが、印刷ではなく、磁気的にコードを記録するようにすることもできる。光記録媒体に光学的に（相変化、溶融混合等で）コードを記録することもできる。
【００４４】
（ｄ）は贈り側サーバアクセス用コード５Ａおよび受け取り側サーバアクセス用コード５Ｂを無線タグ（ＩＣチップ）により形成し、受け取り側サーバアクセス用コード５Ｂの部分をシール状にして台紙から剥がして物品に貼り付けることができるようにしたものであり、携帯電話側で読み取り機能を備えていることが必要であるが、近接させるだけでカメラでの撮影が不要であるため、読み取り操作が容易となる。
【００４５】
（ｅ）は贈り側サーバアクセス用コード５Ａを無線タグにより形成し、受け取り側サーバアクセス用コード５ＢにＱＲコードを用い、受け取り側サーバアクセス用コード５Ｂの部分をシール状にして台紙から剥がして物品に貼り付けることができるようにしたものである。同様に、２次元コード、１次元バーコード、不可視インク、無線タグ等を任意に組み合わせてもよい。
【００４６】
（ｆ）は贈り側サーバアクセス用コード５Ａおよび受け取り側サーバアクセス用コード５ＢのＱＲコードにコード内容の文字列（アクセス先のＵＲＬ(Uniform Resource Locater))を付記し、受け取り側サーバアクセス用コード５Ｂと付記の部分をシール状にして台紙から剥がして物品に貼り付けることができるようにしたものであり、カメラ付きの携帯電話でなくても、あるいはＰＣやゲーム機等の情報端末からでも、ブラウザのアドレス入力欄に手入力することによりアクセスすることができる。
【００４７】
（ｇ）は贈り側サーバアクセス用コード５Ａおよび受け取り側サーバアクセス用コード５ＢにＱＲコードを用い、中央に設けられたミシン目、切り込み等の切り取り加工がされた脆弱部で贈り側サーバアクセス用コード５Ａと受け取り側サーバアクセス用コード５Ｂを切り離し（分離）可能にし、受け取り側サーバアクセス用コード５Ｂを物品に同封等することができるようにしたものである。２次元コード、１次元バーコード、不可視インク、無線タグ等を任意に組み合わせた場合にも同様に適用することができる。
【００４８】
（ｈ）は贈り側サーバアクセス用コード５Ａおよび受け取り側サーバアクセス用コード５ＢにＱＲコードを用い、贈り側サーバアクセス用コード５Ａの上に受け取り側サーバアクセス用コード５Ｂをシール状にして重ね、受け取り側サーバアクセス用コード５Ｂを剥がした場合に贈り側サーバアクセス用コード５Ａが見えるようにしたものである。
【００４９】
図３はメッセージ交換用カード４の他の構成例を示す図であり、贈り側サーバアクセス用コード５Ａ−１、５Ａ−２、５Ｃ−１、５Ｃ−２と、分離可能なシール状の受け取り側サーバアクセス用コード５Ｂ−１、５Ｂ−２、５Ｄ−１、５Ｄ−２を設け、２対２すなわち贈り側が２人（ユーザＡ、Ｃ）で受け取り側が２人（ユーザＢ、Ｄ）に対応させたものである。同様に、Ｎ対Ｎ、１対Ｎにも拡張することができる。
【００５０】
図４〜図６は物品にコードが予め設けられる例を示す図である。
【００５１】
図４では、景品取得ゲーム装置の景品等の物品６のタグ４Ｔに贈り側サーバアクセス用コード５Ａおよび受け取り側サーバアクセス用コード５Ｂを設け、中央に設けられたミシン目、切り込み等の切り取り加工がされた脆弱部で贈り側サーバアクセス用コード５Ａを切り離すことにより、物品６に受け取り側サーバアクセス用コード５Ｂを残すことができるようにしている。景品取得ゲーム装置に装填される景品には既にタグが付いているが、その部分に贈り側サーバアクセス用コード５Ａおよび受け取り側サーバアクセス用コード５Ｂを設けることで容易に適用が可能である。
【００５２】
図５では、菓子類（例：チョコレート）等の物品６の包装に予め贈り側サーバアクセス用コード５Ａおよび受け取り側サーバアクセス用コード５Ｂを印刷しておき、シール状の贈り側サーバアクセス用コード５Ａを剥がすことにより、物品６に受け取り側サーバアクセス用コード５Ｂを残すことができるようにしている。
【００５３】
図６では、占い結果シート等の物品６の印刷時に贈り側サーバアクセス用コード５Ａおよび受け取り側サーバアクセス用コード５Ｂを同時に印刷し、ミシン目、切り込み等の切り取り加工がされた脆弱部で贈り側サーバアクセス用コード５Ａを切り離すことにより、物品６に受け取り側サーバアクセス用コード５Ｂを残すことができるようにしている。なお、贈り側サーバアクセス用コード５Ａの部分を別の用紙に印刷してもよい。この場合は贈り側サーバアクセス用コード５Ａを切り離す必要がなくなる。
【００５４】
図７はメッセージボードサーバ１の構成例を示す図である。
【００５５】
図７において、メッセージボードサーバ１は、ネットワーク２を介した通信を行う通信部１１０と、メッセージボードの動作を制御する制御部１２０と、処理に必要なプログラムおよびデータを保持する記憶部１３０とを備えている。制御部１２０はＣＰＵでも専用のハードウェアであってもよく、後述する制御部１２０内の各部もハードウェアによって実現されても、ＣＰＵとプログラムによって実現されてもよい。
【００５６】
制御部１２０は、メッセージボードサーバ１へのアクセスＵＲＬ（サーバＵＲＬ）に付加される付加データを解析する付加データ解析部１２２と、贈り側のメッセージボードを制御する贈り側ボード制御部１２３と、受け取り側のメッセージボードを制御する受け取り側ボード制御部１２４と、メッセージボードの閲覧があった時や返信があった時に指定されたメールアドレスにメールを送信するメール送信部１２５とを備えている。
【００５７】
記憶部１３０は、メッセージボードサーバ１の制御プログラムであるサーバプログラム１３１と、メッセージボードの内容を管理するボードデータベース１３２と、必須ではないが後述する統合管理の際のアクセス速度を向上させるメールアドレス／ユニークコード対応テーブル１３３とが保持されている。
【００５８】
図８はメッセージボードサーバ１の付加データ解析部１２２、贈り側ボード制御部１２３および受け取り側ボード制御部１２４の構成例を示す図である。
【００５９】
図８において、付加データ解析部１２２は、アクセスＵＲＬの付加データからメッセージボードを特定するユニークコードの正当性をチェックするコードチェック部１２２１と、付加データからユニークコードを取得するユニークコード取得部１２２２と、初回アクセスのユニークコードをボードデータベース１３２に登録するユニークコード登録部１２２３と、付加データからモード（贈り側モード／受け取り側モード）を取得するモード取得部１２２４とを備えている。
【００６０】
贈り側ボード制御部１２３は、ユーザからのアクセス時にボードデータベース１３２に従い動的にメッセージボードを生成（メッセージを全件表示してもよいし、最新メッセージや未読メッセージのみを表示してもよい）するボード生成部１２３１と、メッセージボードへのメッセージ（テキスト、静止画像、動画、音声、添付ファイル、手書き文字、手書きの絵等）の入力を行わせるボード入力部１２３２と、ボード入力部１２３２の入力内容に応じてメッセージボードの内容を更新するボード更新部１２３８とを備えている。
【００６１】
ボード入力部１２３２は、オプションとしてメッセージボードのデザインを選択させるデザイン選択入力部１２３３と、メッセージ本文の入力を行わせるメッセージ入力部１２３４と、オプションとして閲覧通知・返信通知や統合管理が必要な場合にメールアドレスの入力（メールアドレスにより統合管理される一のユニークコードに対応するメールアドレスを変更入力することにより、統合管理される他のユニークコードを同時に更新してもよい）を行わせるメールアドレス入力部１２３５と、メールアドレスを入力した場合のオプションとして相手方が閲覧したことをメールで通知（閲覧通知）する機能のＯＮ／ＯＦＦを選択させる閲覧通知ＯＮ／ＯＦＦ入力部１２３６と、メールアドレスを入力した場合のオプションとして相手方が返信したことをメールで通知（返信通知）する機能のＯＮ／ＯＦＦを選択させる返信通知ＯＮ／ＯＦＦ入力部１２３７とを備えている。
【００６２】
受け取り側ボード制御部１２４は、ユーザからのアクセス時にボードデータベース１３２に従い動的にメッセージボードを生成（メッセージを全件表示してもよいし、最新メッセージや未読メッセージのみを表示してもよい）するボード生成部１２４１と、メッセージボードへのメッセージ（テキスト、静止画像、動画、音声等）の入力を行わせるボード入力部１２４２と、ボード入力部１２４２の入力内容に応じてメッセージボードの内容を更新するボード更新部１２４８とを備えている。
【００６３】
ボード入力部１２４２は、オプションとしてメッセージボードのデザインを選択させるデザイン選択入力部１２４３と、メッセージ本文の入力を行わせるメッセージ入力部１２４４と、オプションとして閲覧通知・返信通知が必要な場合にメールアドレスの入力を行わせるメールアドレス入力部１２４５と、メールアドレスを入力した場合のオプションとして相手方が閲覧したことをメールで通知（閲覧通知）する機能のＯＮ／ＯＦＦを選択させる閲覧通知ＯＮ／ＯＦＦ入力部１２４６と、メールアドレスを入力した場合のオプションとして相手方が返信したことをメールで通知（返信通知）する機能のＯＮ／ＯＦＦを選択させる返信通知ＯＮ／ＯＦＦ入力部１２４７とを備えている。
【００６４】
図９はボードデータベース１３２の例を示す図である。
【００６５】
図９（ａ）は贈り側のユニークコード、受け取り側のユニークコード（ユニークナンバ等）、チェックコードの対応関係が、所定の関係式で定められている場合であり、メッセージボードを特定するユニークコード毎に、メッセージを特定するメッセージナンバ（メッセージの連番）、入力時刻（メッセージを入力した時刻）、贈り側／受け取り側フラグ（どちら側からのメッセージかの識別情報）、メッセージ本文と、贈り側のデザインＩＤ、メールアドレス、閲覧通知フラグ、返信通知フラグと、受け取り側のデザインＩＤ、メールアドレス、閲覧通知フラグ、返信通知フラグとが管理されている。
【００６６】
図９（ｂ）は贈り側のユニークコード、受け取り側のユニークコードの対応関係が、関係式ではなくテーブルで定められている場合であり、（ａ）のユニークコードに代えてシリアルナンバ（テーブルのインデックスとなる連続番号）を用い、シリアルナンバと贈り側ユニークコード、受け取り側ユニークコードの対応を贈り側／受け取り側ユニークコード対応テーブル１３５で管理している。全ての贈り側および受け取り側のユニークコードは重複がないように設定してあり、連番ではないので、偽造・改竄は困難である。
【００６７】
図１０は携帯電話３Ａ、３Ｂの構成例を示す図である。
【００６８】
図１０において、携帯電話３Ａ、３Ｂは、通信を行うための通信Ｉ／Ｆ（Interface）３０１、通信部３０２と、音声処理を行うためのスピーカ３０３、マイク３０４、音声処理部３０５と、画像撮影を行うためのカメラ３０６、カメラ制御部３０７と、表示を行うための表示部３０８と、操作入力を行うための操作入力部３０９と、無線タグの読み取りを行うための無線タグリーダ３１０、無線タグリーダ制御部３１１と、携帯電話の制御処理を行うための制御部３１２と、処理に必要なプログラムおよびデータを保持する記憶部３１６とを備えている。
【００６９】
制御部３１２は、読み取ったＱＲコード画像等を解析するＱＲコード等解析部３１３と、サーバアクセスに用いるブラウザを制御するブラウザ制御部３１４と、メールクライアントを制御するメールクライアント制御部３１５とを備えている。
【００７０】
記憶部３１６は、ブラウザのプログラムであるブラウザプログラム３１７と、メールクライアントのプログラムであるメールクライアントプログラム３１８と、読み取ったＱＲコード等３１９が保持されている。
【００７１】
図１１は第１の実施形態の処理例を示すフローチャートである。
【００７２】
図１１において、贈り側のユーザＡはメッセージ交換用カード４を取得し（ステップＳ１０１）（図４〜図６に示したように物品６に予め贈り側サーバアクセス用コード５Ａ、受け取り側サーバアクセス用コード５Ｂが付加されている場合を除く）、物品６を購入もしくはゲーム操作等により取得し（ステップＳ１０２）、メッセージ交換用カード４からの受け取り側サーバアクセス用コード５Ｂへの貼り付け・同封もしくは物品６からの贈り側サーバアクセス用コード５Ａの分離等を行う（ステップＳ１０３）。
【００７３】
その後、贈り側のユーザＡは手元に残った贈り側サーバアクセス用コード５Ａを自己の携帯電話３Ａで読み取り（ステップＳ１０４）、携帯電話３Ａからメッセージボードサーバ１にアクセスする（ステップＳ１０５）。
【００７４】
メッセージボードサーバ１は携帯電話３Ａからのアクセスを受け（ステップＳ１０６）、その際、ユニークナンバと、贈り側モード／受け取り側モードの種別コード、チェック用コードを受け取る。
【００７５】
次いで、メッセージボードサーバ１はチェック用コードをチェックすることで、そのユニークナンバが正当かどうかチェックする（ステップＳ１０７）。不正と判断されれば、エラーメッセージを返し、その後の処理は行わない。
【００７６】
ここでは、チェック用コードが正当と判断されたものとすると、贈り側サーバアクセス用コード５Ａによるアクセスであるため「贈り側モード」でメッセージボードを生成し、メッセージボードにまだメッセージが入力されていないため、メッセージ入力モードとなり、その旨をアクセス元の携帯電話３Ａに送信する（ステップＳ１０８）。
【００７７】
これに応じ、贈り側のユーザＡはメッセージボードにメッセージを入力し（ステップＳ１０９）、メッセージボードサーバ１はメッセージを登録する（ステップＳ１１０）。なお、メッセージの入力に際し、贈り側のユーザＡはメッセージボードのデザインを指定してもよいし、必要であれば、自分のメールアドレスを登録してもよい。
【００７８】
図１２は上記のステップＳ１０１〜Ｓ１１０までの処理の各場面におけるイメージを示す図であり、（ａ）は贈り側のユーザＡがメッセージ交換を欲した状態、（ｂ）は贈り側のユーザＡがメッセージ交換用カード４を取得して物品６に受け取り側サーバアクセス用コード５Ｂを貼り付けた状態、（ｃ）は贈り側のユーザＡが携帯電話３Ａから手元に残った贈り側サーバアクセス用コード５Ａによりメッセージボードサーバ１にアクセスした状態、（ｄ）は贈り側のユーザＡが携帯電話３Ａからメッセージボードサーバ１にメッセージを入力した状態をそれぞれ示している。
【００７９】
図１１に戻り、贈り側のユーザＡは受け取り側サーバアクセス用コード５Ｂを伴った物品６を受け取り側のユーザＢにプレゼント等として引き渡す（ステップＳ１１１、Ｓ１１２）。なお、受け取り側のユーザＢへの物品６の引き渡しは上述したメッセージボードサーバ１へのアクセス（ステップＳ１０４〜Ｓ１１０）の前に行ってもよい。
【００８０】
その後、贈り側のユーザＡと別れた後の適当なタイミング（例えば、帰宅後、あるいは物品の内容確認時等）で受け取り側のユーザＢは物品６に付加された受け取り側サーバアクセス用コード５Ｂを自己の携帯電話３Ｂで読み取り（ＱＲコードを読み取るか、無線タグリーダ／ライタを搭載した携帯電話３Ｂであれば、無線タグを読み取る。）（ステップＳ１１３）、携帯電話３Ｂからメッセージボードサーバ１にアクセスする（ステップＳ１１４）。
【００８１】
メッセージボードサーバ１は携帯電話３Ｂからのアクセスを受け（ステップＳ１１５）、その際、ユニークナンバと、贈り側モード／受け取り側モードの種別コード、チェック用コードを受け取る。
【００８２】
次いで、メッセージボードサーバ１はチェック用コードをチェックすることで、そのユニークナンバが正当かどうかチェックする（ステップＳ１１６）。不正と判断されれば、エラーメッセージを返し、その後の処理は行わない。
【００８３】
ここでは、チェック用コードが正当と判断されたものとすると、種別コードは受け取り側サーバアクセス用コード５Ｂによるアクセスであるため「受け取り側モード」となり、メッセージボードに既に贈り側のユーザＡによりメッセージが入力されているため、メッセージ閲覧モードとして、登録されたメッセージをアクセス元の携帯電話３Ｂに送信し（ステップＳ１１７）、携帯電話３Ｂはメッセージを表示する（ステップＳ１１８）。メッセージがまだ記憶されていない場合は表示すべきメッセージは存在しないが、受け取り側のユーザＢが退屈しないよう、定型のメッセージ（例えば、時候に合った挨拶（「明けましておめでとう」「メリークリスマス」「暑中お見舞い申し上げます」）等）を表示するようにしても構わない。
【００８４】
これに応じ、受け取り側のユーザＢは、任意ではあるが、返信欄等からメッセージボードにメッセージを入力し（ステップＳ１１９）、メッセージボードサーバ１はメッセージを登録する（ステップＳ１２０）。なお、メッセージの入力に際し、受け取り側のユーザＢはメッセージボードのデザインを指定してもよいし、必要であれば、自分のメールアドレスを登録してもよい。
【００８５】
図１３は上記のステップＳ１１１〜Ｓ１２０までの処理の各場面におけるイメージを示す図であり、（ａ）は贈り側のユーザＡが受け取り側のユーザＢに物品６をプレゼントした状態、（ｂ）は受け取り側のユーザＢが物品６の受け取り側サーバアクセス用コード５Ｂに気付いた状態、（ｃ）は受け取り側のユーザＢが携帯電話３Ｂから受け取り側サーバアクセス用コード５Ｂによりメッセージボードサーバ１にアクセスした状態、（ｄ）は受け取り側のユーザＢが携帯電話３Ｂでメッセージを確認した状態、（ｅ）は受け取り側のユーザＢが携帯電話３Ｂで返信メッセージを入力した状態をそれぞれ示している。
【００８６】
図１１に戻り、その後、贈り側のユーザＡは手元に残った贈り側サーバアクセス用コード５Ａを自己の携帯電話３Ａで読み取り（ステップＳ１２１）、携帯電話３Ａからメッセージボードサーバ１にアクセスする（ステップＳ１２２）。
【００８７】
メッセージボードサーバ１は携帯電話３Ａからのアクセスを受け（ステップＳ１２３）、その際、ユニークナンバと、贈り側モード／受け取り側モードの種別コード、チェック用コードを受け取る。
【００８８】
次いで、メッセージボードサーバ１はチェック用コードをチェックすることで、そのユニークナンバが正当かどうかチェックする（ステップＳ１２４）。不正と判断されれば、エラーメッセージを返し、その後の処理は行わない。
【００８９】
ここでは、チェック用コードが正当と判断されたものとすると、種別コードは贈り側サーバアクセス用コード５Ａによるアクセスであるため「贈り側モード」でメッセージボードを生成し、メッセージボードに既に受け取り側のユーザＢにより返信メッセージが入力されているため、メッセージ閲覧モードとして、登録された返信メッセージをアクセス元の携帯電話３Ａに送信し（ステップＳ１２５）、携帯電話３Ａはメッセージを表示する（ステップＳ１２６）。これに対して返信欄等により再度メッセージを入力することもできる。
【００９０】
図１４は上記のステップＳ１２１〜Ｓ１２６までの処理の各場面におけるイメージを示す図であり、（ａ）は贈り側のユーザＡが返事を待っている状態、（ｂ）は贈り側のユーザＡが携帯電話３Ａから手元に残った贈り側サーバアクセス用コード５Ａによりメッセージボードサーバ１にアクセスした状態、（ｃ）は贈り側のユーザＡが携帯電話３Ａでメッセージを確認した状態をそれぞれ示している。
【００９１】
その後も、同様にメッセージの交換を何度でも繰り返すことができる。相手からのメッセージを知りたくなかったら、メールと違い、メッセージボードにアクセスしなければよいし、贈り側サーバアクセス用コード５Ａもしくは受け取り側サーバアクセス用コード５Ｂを捨ててしまえばアクセスできなくなる。メッセージが残っているのも気分が悪い場合は、メッセージボードを削除（復活不能）できるようにしてもよい。
【００９２】
なお、図１１では図示していないが、贈り側のユーザＡがメッセージ入力（ステップＳ１０９）に際して自分のメールアドレスを登録している場合は、受け取り側のユーザＢがメッセージボードを閲覧したことや、メッセージに対して返信したことを教えるメールを、登録したメールアドレスに送信する。この通知メールにメッセージそのものを記載して送信してもいいし（この場合、贈り側のユーザＡはメッセージボードを閲覧する必要がない）、メッセージボードのＵＲＬを記載しても構わない。メッセージボードのＵＲＬを記載しておけば、メッセージ交換用カード４等を捨ててしまったり紛失してしまったりした場合でも、メッセージボードサーバ１にアクセスすることができ便利である。
【００９３】
同様に、受け取り側のユーザＢがメッセージ入力（ステップＳ１１９）に際して自分のメールアドレスを登録している場合は、贈り側のユーザＡがメッセージボードを閲覧したことや、メッセージに対して返信したことを教えるメールを、登録したメールアドレスに送信する。
【００９４】
図１５は定型メッセージ（贈り側が登録しなくても、受け取り側がアクセスした時に表示される、システムが予め用意したメッセージ）の例を示す図であり、（ａ）に示すようにメッセージ交換用カード４の「バースデー」等に対応して「Ｈａｐｐｙ  Ｂｉｒｔｈｄａｙ！」等の定型メッセージを最初から入れることで、（ｂ）に示すように受け取り側の携帯電話３Ｂからのアクセス時に表示させることができる。最初から自分でメッセージを入れる場合にはとっさの時や忙しい時に対応できないが、定型メッセージを導入することでそのような不都合が解消できる。なお、最初から定型メッセージが入っているだけで、後から追加・変更可能にしてももちろん構わない。
【００９５】
図１６はメッセージ交換用カード４とメッセージボードのデザイン統一の例を示す図である。単体のメッセージ交換用カード４の場合、（ａ）に示すようにデザイン付のメッセージ交換用カード（デザイン・ユビキメカード）４を用意（複数種類用意）しておき、メッセージ交換用カード４のユニークコードとデザインの対応ルールを決めておくか、対応テーブルをメッセージボードサーバ１で管理しておくことにより、（ｂ）に示すようにメッセージ交換用カード４のデザインに応じたメッセージボードデザインを携帯電話３Ａ、３Ｂに表示することが可能である。メッセージ交換用カード４のデザインと、メッセージボードのデザイン（色、地紋、キャラクター等）を同じにしておけば、そのメッセージ交換用カード４にメッセージを書き込んでいるという演出ができ、カードとネットのつながり感、シームレス感を更に向上させることができる。
【００９６】
ユーザが後から物品に贈り側サーバアクセス用コードを貼り付けるのではなく、図５に示したように最初から物品（製品）６に贈り側サーバアクセス用コード５Ａおよび受け取り側サーバアクセス用コード５Ｂを備え付けている場合は、物品６の種類と贈り側サーバアクセス用コード５Ａおよび受け取り側サーバアクセス用コード５Ｂの対応が予め管理できるので、製品の種類に応じたメッセージボードを提供することができる。例えば、バレンタイン商品（チョコレート等）であれば、自動的にバレンタインに合ったデザインのメッセージボードを表示することもできる。
【００９７】
図１７は複数のユニークコードの統合管理の例を示す図である。
【００９８】
メッセージ交換用カード４は物品一つ一つに紐付けられるので、プレゼント等した物品の数が増えてくると、（ａ）に示すように、贈り側のユーザＡはメッセージ交換用カード４を多数保管する必要があり、管理が面倒になる。そこで、同じメールアドレスまたはユーザＩＤを登録したメッセージ交換用カード４については統合的に管理することで利便性を向上させることができる。
【００９９】
この場合、（ｂ）に示すように、自分のメールアドレスを登録したメッセージ交換用カード４の一つを使って贈り側のユーザＡが携帯電話３Ａからメッセージボードサーバ１にアクセスした時、メッセージボードサーバ１はそのメッセージ交換用カード４のユニークコードと紐付けられたメールアドレスをテーブルから読み出し、そのメールアドレスに紐付けられた全部のメッセージ交換用カード４のユニークコードを選出する。
【０１００】
そして、この選出された全てのメッセージ交換用カード４のユニークコードに対応した贈り側メッセージと受け取り側メッセージを（ｃ）に示すように一覧表示（メッセージ交換用カード毎に一つのスレッドを表示し、それが縦に並んでいるイメージ）し、返事も同一ページ内で記入できるようにする。
【０１０１】
この仕組みを導入すると、メッセージ交換用カード４は手元に１枚あれば良く、他のカードは別途保管しても、破棄しても良くなる。更に、相手がメッセージを閲覧した旨、相手が返答を書いた旨を知らせるメールも１通１通バラバラではなく、定期的に（例えば日毎に）まとめてメール１通で通知した方がユーザの利便性が上がる。
【０１０２】
図１８は他の適用例を示す図であり、相手にプレゼントする物品を対象とするのではなく、相手の所有する物品を対象としたものである。すなわち、（ａ）に示すようにユーザＡ、Ｂがテレビゲームで遊んだ場合、（ｂ）に示すように帰るユーザＡがゲームパッド等の物品６に受け取り側サーバアクセス用コード５Ｂを貼り付けておくことにより、（ｃ）に示すように残ったユーザＢが受け取り側サーバアクセス用コード５Ｂを携帯電話３Ｂで読み取ることで、（ｄ）に示すようにユーザＡからのメッセージを見ることができる。
【０１０３】
図１９は更に他の適用例を示す図であり、交換日記に適用し、カップルでも女の子同士でも、古風で新しい交換日記として使えるようにしたものである。
【０１０４】
利用にあっては、日記を交換するそれぞれのユーザが日記と共に受け取り側サーバアクセス用コードを貼り、日記を受け取ったユーザは携帯電話で受け取り側サーバアクセス用コードを読み取ってメッセージボードサーバにアクセスし、内容を読む。
【０１０５】
この場合、文字や絵だけでなく、肉声や静止画、動画も貼り付けられるとともに、シール毎に独立しているので１枚１枚にメッセージが込められ、リアルな日記を読む感覚が得られる。
【０１０６】
更に、ノートに直書きではないのでセキュリティを掛けることもでき、例えば、閲覧パスワードを設定し、あるいは、携帯電話のＩＤをサーバに登録しておくことにより、他人が交換日記を拾ってもメッセージの秘密を保つことができる。
【０１０７】
その他、本発明は使う人の発想で自由自在の応用が可能である。
【０１０８】
＜第２の実施形態＞
図２０は本発明の第２の実施形態にかかるメールサーバ７の構成例を示す図であり、図１に示した第１の実施形態におけるメッセージボードサーバ１に代えてメールサーバ７を用いてメッセージ交換を実現したものである。この場合、贈り側サーバアクセス用コード５Ａおよび受け取り側サーバアクセス用コード５ＢにはサーバＵＲＬ等に代えてメールアドレスを含めることとなり、携帯電話３Ａ、３Ｂからはメールアプリを用いてメールサーバ７にアクセスすることになる。
【０１０９】
図２０において、メールサーバ７は、ネットワーク２を介した通信を行う通信部７１０と、メール送受信の制御を行う制御部７２０と、処理に必要なプログラムおよびデータを保持する記憶部７３０とを備えている。制御部７２０はＣＰＵでも専用のハードウェアであってもよく、後述する制御部７２０内の各部もハードウェアによって実現されても、ＣＰＵとプログラムによって実現されてもよい。
【０１１０】
制御部７２０は、携帯電話３Ａ、３Ｂからのメールを受信するメール受信部７２１と、受信したメールの発信元アドレスを秘匿性保持のために分離（更に保存もしくは削除）する発信元アドレス分離部７２２と、発信元アドレスを分離したメール本文を蓄積するメール蓄積部７２３と、受け取り側からメッセージ閲覧のための空メール（本文のないメール）を受信した際に蓄積されたメールの内容（蓄積されたメールが存在しない場合はその旨等）を返信メールとして送信する返信メール送信部７２４と、贈り側に受け取り側がメッセージ閲覧を行った旨を通知メールとして送信する通知メール送信部７２５と、受け取り側から返信メールを受信した際にその内容を贈り側に転送メールとして送信する転送メール送信部７２６とを備えている。
【０１１１】
記憶部７３０は、メールサーバ７の制御プログラムであるサーバプログラム７３１と、メールを蓄積するメールボックス７３２とが保持されている。
【０１１２】
図２１は第２の実施形態の処理例を示すフローチャートである。
【０１１３】
図２１において、贈り側のユーザＡはメッセージ交換用カード４を取得し（ステップＳ２０１）（図４〜図６に示したように物品６に予め贈り側サーバアクセス用コード５Ａ、受け取り側サーバアクセス用コード５Ｂが付加されている場合を除く）、物品６を購入もしくはゲーム操作等により取得し（ステップＳ２０２）、メッセージ交換用カード４からの受け取り側サーバアクセス用コード５Ｂへの貼り付け・同封もしくは物品６からの贈り側サーバアクセス用コード５Ａの分離等を行い（ステップＳ２０３）、贈り側のユーザＡは受け取り側サーバアクセス用コード５Ｂを伴った物品６を受け取り側のユーザＢにプレゼント等として引き渡す（ステップＳ２０４、Ｓ２０５）。
【０１１４】
その後、なるべく早い時期に贈り側のユーザＡは手元に残った贈り側サーバアクセス用コード５Ａを自己の携帯電話３Ａで読み取り（ステップＳ２０６）、贈り側サーバアクセス用コード５Ａをメールアドレスとして、本文に伝えたいメッセージを入力して、携帯電話３Ａからメールサーバ７にメールを送信する（ステップＳ２０７）。
【０１１５】
メールサーバ７は、贈り側のユーザＡからのメールを「贈り側から用メールアドレス」で受信し（ステップＳ２０８）、贈り側のユーザＡのメールアドレスを分離して保存し（ステップＳ２０９）、そのメールを蓄積する（ステップＳ２１０）。
【０１１６】
その後、適当なタイミング（例えば、帰宅後、あるいは物品の内容確認時等）で受け取り側のユーザＢは物品６に付加された受け取り側サーバアクセス用コード５Ｂを自己の携帯電話３Ｂで読み取り（ステップＳ２１１）、受け取り側サーバアクセス用コード５Ｂをメールアドレスとして携帯電話３Ｂからメールサーバ７に空メールを送信する（ステップＳ２１２）。
【０１１７】
メールサーバ７は、受け取り側のユーザＢからのメールを「受け取り側から用メールアドレス」で受信し（ステップＳ２１３）、蓄積されている贈り側のユーザＡからのメール内容を返信メールとして受け取り側のユーザＢに送信し（ステップＳ２１４）、携帯電話３Ｂで受信・表示させる（ステップＳ２１５）。贈り側のユーザＡからのメールが蓄積されていない場合は「メッセージなし」の返信メールを受け取り側のユーザＢに送信する。また、これとほぼ同時に、メールサーバ７は受け取り側のユーザＢがメールリクエスト（空メール送信）をした旨を贈り側のユーザＡに対して通知メールとして送信し（ステップＳ２１４）、携帯電話３Ａで受信・表示させる（ステップＳ２１６）。
【０１１８】
その後、適当なタイミングで受け取り側のユーザＢはメールサーバ７からの返信メールに対して、本文に伝えたいメッセージを入力して、携帯電話３Ｂからメールサーバ７に返信メールを送信する（ステップＳ２１７）。
【０１１９】
メールサーバ７は、受け取り側のユーザＢからのメールを「受け取り側から用メールアドレス」で受信し（ステップＳ２１８）、そのメールから受け取り側のユーザＢのメールアドレスを削除し（ステップＳ２１９）、贈り側のユーザＡに転送し（ステップＳ２２０）、携帯電話３Ａで受信・表示させる（ステップＳ２２１）。
【０１２０】
＜第３の実施形態＞
図２２は本発明の第３の実施形態にかかるシステムの構成例を示す図であり、物品として占い結果シート（図６）を出力する占い装置等の物品払い出し装置８に適用したものである。
【０１２１】
図２２において、メッセージボードによるメッセージ交換の機能を提供するメッセージボードサーバ１はインターネット等のネットワーク２に接続され、贈り側のユーザＡが所持する携帯電話３Ａおよび受け取り側のユーザＢが所持する携帯電話３Ｂからのネットワーク２を介したアクセスが可能になっている。
【０１２２】
また、占い装置等の物品払い出し装置８がネットワーク２とは非接続に設けられており、占いの実行により贈り側サーバアクセス用コード５Ａおよび受け取り側サーバアクセス用コード５Ｂの印刷された占い結果シート等の物品６を出力し、贈り側のユーザＡは物品６から切り離した後（別々に印刷して出力される場合を除く）の贈り側サーバアクセス用コード５Ａを携帯電話３Ａにより読み取る等によりメッセージボードサーバ１にアクセスし、受け取り側のユーザＢは物品６の受け取り側サーバアクセス用コード５Ｂを携帯電話３Ｂにより読み取る等によりメッセージボードサーバ１にアクセスするようになっている。
【０１２３】
図２３は物品払い出し装置（占い装置）８の構成例を示す図である。
【０１２４】
図２３において、物品払い出し装置８は、占い制御部８０３およびＱＲコード画像生成部８０４を含む制御部８０２と、生成したＱＲコード８０６等を保持する記憶部８０５（制御部８０２に実行させるプログラムや、そのデータ等を記憶してもよい）と、ユーザの操作を受け付ける操作入力部８１０と、説明音声や効果音を出力する音声出力部８１１と、説明文や装飾画像を出力する表示部８１２と、占い結果シートを印刷する印刷部８１３と、占い結果シートを排出する占い結果シート排出口８１４とを備えている。制御部８０２はＣＰＵでも専用のハードウェアであってもよく、制御部８０２内の各部もハードウェアによって実現されても、ＣＰＵとプログラムによって実現されてもよい。
【０１２５】
図２２に戻り、メッセージボードサーバ１および携帯電話３Ａ、３Ｂの構成は図７〜図１０に示したものと同様であり、処理手順についても図１１に示したものと同様である。
【０１２６】
＜第４の実施形態＞
図２４は本発明の第４の実施形態にかかるシステムの構成例を示す図であり、景品取得ゲーム装置等の物品払い出し装置８に適用したものである。
【０１２７】
図２４において、メッセージボードによるメッセージ交換の機能を提供するメッセージボードサーバ１はインターネット等のネットワーク２に接続され、贈り側のユーザＡが所持する携帯電話３Ａおよび受け取り側のユーザＢが所持する携帯電話３Ｂからのネットワーク２を介したアクセスが可能になっている。
【０１２８】
また、景品取得ゲーム装置等の物品払い出し装置８がネットワーク２とは非接続に設けられており、景品取得の成功により物品６が物品払い出し装置８から排出される際に、物品６に設けられたタグ４Ｔから無線タグによる受け取り側サーバアクセス用コード５Ｂを読み取り、受け取り側サーバアクセス用コード５Ｂに含まれる受け取り側のユニークコードに対応する贈り側のユニークコードを所定の関係式から生成し、この贈り側のユニークコードを含む贈り側サーバアクセス用コード５Ａを印刷した贈り側用印刷物９を出力するようになっている。そして、贈り側のユーザＡは贈り側用印刷物９の贈り側サーバアクセス用コード５Ａを携帯電話３Ａにより読み取る等によりメッセージボードサーバ１にアクセスし、受け取り側のユーザＢは物品６の受け取り側サーバアクセス用コード５Ｂを携帯電話３Ｂにより読み取る等によりメッセージボードサーバ１にアクセスするようになっている。
【０１２９】
なお、タグ４Ｔとしては、内部に封入された無線タグと表面に印刷されたＱＲコードにより受け取り側サーバアクセス用コード５Ｂを形成する場合（ａ）と、無線タグのみにより受け取り側サーバアクセス用コード５Ｂを形成する場合（受け取り側の携帯電話３Ｂで無線タグ読み取り機能を保持している場合）（ｂ）と、無線タグとＱＲコードにより受け取り側サーバアクセス用コード５Ｂを形成するとともにＵＲＬ等を併記（ブラウザのアドレス入力欄に手入力で設定することでアクセスが可能）する場合（ｃ）とがある。なお、（ａ）においては、無線タグに含まれるユニークコードと、ＱＲコードに含まれるユニークコードは同一でも、同一ではないが対応付けられていても構わない。
【０１３０】
また、贈り側用印刷物９に代え、物品払い出し装置８から贈り側のユーザＡの所有するゲームカード、電子マネーカード、携帯電話３Ａ等に贈り側サーバアクセス用コード５Ａを出力して書き込んでもよい。この場合、贈り側のユーザＡはゲームカード、電子マネーカードから贈り側サーバアクセス用コード５Ａを読み取り、もしくは携帯電話３Ａから直接にメッセージボードサーバ１にアクセスすることができる。
【０１３１】
図２５は物品払い出し装置（景品取得ゲーム装置）８の構成例を示す図である。
【０１３２】
図２５において、物品払い出し装置８は、ゲーム制御部８２３およびＱＲコード画像生成部８２４を含む制御部８２２と、読み取った無線タグコード８２６および印刷出力するＱＲコード８２７等を保持する記憶部８２５（制御部８２２に実行させるプログラムや、そのデータ等を記憶してもよい）と、ユーザの操作を受け付ける操作入力部８３０と、贈り側用印刷物９を印刷する印刷部８３１と、贈り側用印刷物９を排出する印刷物排出口８３２と、遊戯フィールド８３４のクレーン８３５を制御するクレーン駆動部８３３と、物品取り出し口８３６に配置された無線タグリーダ８３７とを備えている。なお、遊戯フィールド８３４には無線タグによる受け取り側サーバアクセス用コード５Ｂを伴った物品６が配置されている。制御部８２２はＣＰＵでも専用のハードウェアであってもよく、制御部８２２内の各部もハードウェアによって実現されても、ＣＰＵとプログラムによって実現されてもよい。
【０１３３】
図２４に戻り、メッセージボードサーバ１および携帯電話３Ａ、３Ｂの構成は図７〜図１０に示したものと同様である。
【０１３４】
処理手順については、景品取得の成功により物品６が物品払い出し装置８から排出される際に、物品６のタグ４Ｔに付された受け取り側サーバアクセス用コード５Ｂに対応する贈り側サーバアクセス用コード５Ａを印刷した贈り側用印刷物９が出力される点が異なるが、その後の動作は図１１のステップＳ１０４〜Ｓ１２６と同様である。
【０１３５】
これにより、メッセージ交換用カードから贈り側サーバアクセス用コードを「千切る」「剥がす」「切り取る」「切り離す」「開封する」といった行為が不要になり、
（１）物品６の渡し方がスマートになる（プレゼントなのだから、渡すスタイルは大事である。）。
（２）受け取り側のユーザＢが物品払い出し装置８の物品取り出し口８３６で待ち構えていて、プレイヤである贈り側のユーザＡの手を通さずに物品６を直接取ってしまった場合でもメッセージ交換が可能になる。
といった利点がある。
【０１３６】
＜総括＞
以上のように、本発明の実施形態によれば、次のような利点がある。
（１）ユニークなコードをリアルな「モノ」に紐付けることにより、ネットワーク上の情報を共有し、人と人とのコミュニケーションの利便性を上げることができる。
（２）メールアドレスを知らない人にメッセージを贈ることができる。テキストだけでなく、音声でも画像でも、いかなるファイルでも贈ることができる。
（３）相手方にメールアドレスを知らせずに、メッセージを贈ることができる。メッセージを受け取った側も、メールアドレスを知らせずに謝礼（返答）することができる。個人情報保護も十分に確保することができる。
（４）サーバアクセス用コードは全てユニークである。そのため、一対一の秘密のメッセージ交換を行うことができる。情報の秘匿も十分に確保することができる。
（５）電子メールではないので、相手の都合を気にせずに、好きな時にメッセージを贈ることができる。読む方も、自分の都合の良い時に読み、返答することができる。
（６）プレゼントを贈った後に、メッセージを書くことができる。その場で買ったプレゼントや、その場で取得した景品取得ゲーム装置の景品にも、メッセージが付けられる。
（７）サーバアクセス用コードは、一つ一つの「モノ」に貼り付ける（紐付ける）ので、「この」プレゼントのメッセージ、「あの」プレゼントのメッセージと、リアルな「モノ」ごとにメッセージを贈ることができる。
【０１３７】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【０１３８】
【図１】本発明の第１の実施形態にかかるシステムの構成例を示す図である。
【図２】メッセージ交換用カードの構成例を示す図である。
【図３】メッセージ交換用カードの他の構成例を示す図である。
【図４】物品にコードが予め設けられる例を示す図（その１）である。
【図５】物品にコードが予め設けられる例を示す図（その２）である。
【図６】物品にコードが予め設けられる例を示す図（その３）である。
【図７】メッセージボードサーバの構成例を示す図である。
【図８】付加データ解析部、贈り側ボード制御部および受け取り側ボード制御部の構成例を示す図である。
【図９】ボードデータベースの例を示す図である。
【図１０】携帯電話の構成例を示す図である。
【図１１】第１の実施形態の処理例を示すフローチャートである。
【図１２】処理の各場面におけるイメージを示す図（その１）である。
【図１３】処理の各場面におけるイメージを示す図（その２）である。
【図１４】処理の各場面におけるイメージを示す図（その３）である。
【図１５】定型メッセージの例を示す図である。
【図１６】デザイン統一の例を示す図である。
【図１７】ユニークコードの統合管理の例を示す図である。
【図１８】他の適用例を示す図（その１）である。
【図１９】他の適用例を示す図（その２）である。
【図２０】本発明の第２の実施形態にかかるメールサーバの構成例を示す図である。
【図２１】第２の実施形態の処理例を示すフローチャートである。
【図２２】本発明の第３の実施形態にかかるシステムの構成例を示す図である。
【図２３】物品払い出し装置（占い装置）の構成例を示す図である。
【図２４】本発明の第４の実施形態にかかるシステムの構成例を示す図である。
【図２５】物品払い出し装置（景品取得ゲーム装置）の構成例を示す図である。
【符号の説明】
【０１３９】
１            メッセージボードサーバ
１１０        通信部
１２０        制御部
１２２        付加データ解析部
１２２１      コードチェック部
１２２２      ユニークコード取得部
１２２３      ユニークコード登録部
１２２４      モード取得部
１２３        贈り側ボード制御部
１２３１      ボード生成部
１２３２      ボード入力部
１２３３      デザイン選択入力部
１２３４      メッセージ入力部
１２３５      メールアドレス入力部
１２３６      閲覧通知ＯＮ／ＯＦＦ入力部
１２３７      返信通知ＯＮ／ＯＦＦ入力部
１２３８      ボード更新部
１２４        受け取り側ボード制御部
１２４１      ボード生成部
１２４２      ボード入力部
１２４３      デザイン選択入力部
１２４４      メッセージ入力部
１２４５      メールアドレス入力部
１２４６      閲覧通知ＯＮ／ＯＦＦ入力部
１２４７      返信通知ＯＮ／ＯＦＦ入力部
１２４８      ボード更新部
１２５        メール送信部
１３０        記憶部
１３１        サーバプログラム
１３２        ボードデータベース
１３３        メールアドレス／ユニークコード対応テーブル
１３５        贈り側／受け取り側ユニークコード対応テーブル
２            ネットワーク
３Ａ、３Ｂ    携帯電話
３０１        通信Ｉ／Ｆ
３０２        通信部
３０３        スピーカ
３０４        マイク
３０５        音声処理部
３０６        カメラ
３０７        カメラ制御部
３０８        表示部
３０９        操作入力部
３１０        無線タグリーダ
３１１        無線タグリーダ制御部
３１２        制御部
３１３        ＱＲコード等解析部
３１４        ブラウザ制御部
３１５        メールクライアント制御部
３１６        記憶部
３１７        ブラウザプログラム
３１８        メールクライアントプログラム
３１９        ＱＲコード等
４            メッセージ交換用カード
４Ｔ          タグ
５Ａ          贈り側サーバアクセス用コード
５Ｂ          受け取り側サーバアクセス用コード
６            物品
７            メールサーバ
７１０        通信部
７２０        制御部
７２１        メール受信部
７２２        発信元アドレス分離部
７２３        メール蓄積部
７２４        返信メール送信部
７２５        通知メール送信部
７２６        転送メール送信部
７３０        記憶部
７３１        サーバプログラム
７３２        メールボックス
８            物品払い出し装置
８０２        制御部
８０３        占い制御部
８０４        ＱＲコード画像生成部
８０５        記憶部
８０６        ＱＲコード
８１０        操作入力部
８１１        音声出力部
８１２        表示部
８１３        印刷部
８１４        占い結果シート排出口
８２２        制御部
８２３        ゲーム制御部
８２４        ＱＲコード画像生成部
８２５        記憶部
８２６        無線タグコード
８２７        ＱＲコード
８３０        操作入力部
８３１        印刷部
８３２        印刷物排出口
８３３        クレーン駆動部
８３４        遊戯フィールド
８３５        クレーン
８３６        物品取り出し口
８３７        無線タグリーダ
９            贈り側用印刷物
Ａ〜Ｂ        ユーザ
【図１】
2008186277.tif 000003
【図２】
2008186277.tif 000004
【図３】
2008186277.tif 000005
【図４】
2008186277.tif 000006
【図５】
2008186277.tif 000007
【図６】
2008186277.tif 000008
【図７】
2008186277.tif 000009
【図８】
2008186277.tif 000010
【図９】
2008186277.tif 000011
【図１０】
2008186277.tif 000012
【図１１】
2008186277.tif 000013
【図１２】
2008186277.tif 000014
【図１３】
2008186277.tif 000015
【図１４】
2008186277.tif 000016
【図１５】
2008186277.tif 000017
【図１６】
2008186277.tif 000018
【図１７】
2008186277.tif 000019
【図１８】
2008186277.tif 000020
【図１９】
2008186277.tif 000021
【図２０】
2008186277.tif 000022
【図２１】
2008186277.tif 000023
【図２２】
2008186277.tif 000024
【図２３】
2008186277.tif 000025
【図２４】
2008186277.tif 000026
【図２５】
2008186277.tif 000027